(57)【要約】【課題】  誘導灯として安定な動作が得られ、しかも小型軽量化とコスト低減を図ることができる誘導灯装置を提供する。【解決手段】  誘導灯装置の発光体４を点灯するための電源として充電式電池６を使用し、また、装置本体１に充電部１３を有するＡＣアダプタ１２を接続可能とし、充電部１３により充電式電池６を満充電まで充電し、次の使用を可能にした。また、組み込まれる充電式電池６として１０Ｃ以上の電流で急速充電できるリチウムイオン二次電池が用いられことも特徴としている。【選択図】      図４
2008041405.tif 000002
【特許請求の範囲】
【請求項１】
装置本体と、
前記装置本体内部に設けられる１０Ｃ以上の電流で急速充電可能な充電式電池と、
前記装置本体に設けられる発光体と、
前記装置本体内に設けられ、前記充電式電池を電源として前記発光体の点灯を制御する制御手段と
を具備したことを特徴とする誘導灯装置。
【請求項２】
さらに充電手段を有し、該充電手段は、前記装置本体に電気的に接続可能で、該接続状態で前記充電式電池を充電する充電部を有することを特徴とする請求項１記載の誘導灯装置。
【請求項３】
前記装置本体は、前記充電式電池の電池残量を表示する電池残量表示手段を有することを特徴とする請求項１記載の誘導灯装置。
【請求項４】
さらに前記充電式電池の過充電、過放電及び過電流の少なくとも一つを検出し、前記充電式電池の充電又は放電を停止させる監視保護手段を有することを特徴とする請求項１記載の誘導灯装置。
【発明の詳細な説明】
【技術分野】
【０００１】
本発明は、自動車や人間などの通行を安全に誘導するための誘導灯装置に関するものである。
【背景技術】
【０００２】
従来、工事現場などにおいて、特に周囲が暗い夜間などにあっては、自動車や人間の通行を安全に誘導するための誘導灯装置が用いられている。
【０００３】
特許文献１は、かかる誘導灯装置の一例を示すもので、複数の発光ダイオードからなる光源の電源として充電式電池を使用し、この充電式電池により光源に対して電力を供給するようにしている。
【特許文献１】実用新案登録第３０６４８６５号公報
【特許文献２】特開平６−３４２６９３号公報
【特許文献３】特開２００５−１２３１８３号公報
【発明の開示】
【発明が解決しようとする課題】
【０００４】
ところが、充電式電池を電源として使用した場合、電池残量が問題となり、仮に残量が少なくなった状態で光源を点灯し続けると、光源の明るさが低下してしまい安全性を優先する誘導作業を安定して行うのが難しくなることがある。
【０００５】
このため、電池残量が所定値まで低下したならば直ちに充電式電池を満充電まで充電するのが望ましく、特許文献１のものも、充電式電池の充電を可能にする構成が開示されている。
【０００６】
しかし、充電式電池は、一般に用いられる例えばニッケル水素蓄電池の場合で、普通充電で１２時間程度、急速充電で２〜３時間の充電時間が必要である。このため、このような充電式電池を用いた誘導灯装置は、この間、使用不能になってしまう。このため、同じタイプの誘導灯装置を複数台用意しておき、これらを順番に使用することが考えられるが、これではコストが嵩んでしまい現実的でない。
【０００７】
そこで、誘導灯装置を長時間連続して使用できるようにするため、容量の大きな充電式電池を搭載することが考えられる。しかし、このような大容量の充電式電池は、それ自体大きなものであるため、このような充電式電池を装置内に組み込めば、装置本体が大型で重量も大きなものになり、使い勝手の極めて悪いものになってしまう。
【０００８】
また、特許文献２には、電源としてパワーコンデンサを用い比較的短時間での充電を可能にしたものが開示されている。
【０００９】
しかし、電源としてパワーコンデンサを使用したものは、パワーコンデンサは短時間で放電してしまうため、光源の明るさが安定せず、安全性を優先する誘導作業を安定して行うのが難しい。
【００１０】
本発明は上記事情に鑑みてなされたもので、誘導灯として安定な動作が得られ、しかも小型軽量化とコスト低減を図ることができる誘導灯装置を提供することを目的とする。
【課題を解決するための手段】
【００１１】
請求項１記載の発明は、装置本体と、前記装置本体内部に設けられる１０Ｃ以上の電流で急速充電可能な充電式電池と、前記装置本体に設けられる発光体と、前記装置本体内に設けられ、前記充電式電池を電源として前記発光体の点灯を制御する制御手段とを具備したことを特徴としている。
【００１２】
請求項２記載の発明は、請求項１記載の発明において、さらに充電手段を有し、該充電手段は、前記装置本体に電気的に接続可能で、該接続状態で前記充電式電池を充電する充電部を有することを特徴としている。
【００１３】
請求項３記載の発明は、請求項１記載の発明において、前記装置本体は、前記充電式電池の電池残量を表示する電池残量表示手段を有することを特徴としている。
【００１４】
請求項４記載の発明は、請求項１記載の発明において、さらに前記充電式電池の過充電、過放電及び過電流の少なくとも一つを検出し、前記充電式電池の充電又は放電を停止させる監視保護手段を有することを特徴としている。
【発明の効果】
【００１５】
本発明によれば、誘導灯として安定な動作が得られ、しかも小型軽量化とコスト低減を図ることができる誘導灯装置を提供できる。
【発明を実施するための最良の形態】
【００１６】
以下、本発明の実施の形態を図面に従い説明する。
【００１７】
図１は、本発明の一実施の形態にかかる誘導灯装置の概略構成を示している。図１において、１は装置本体で、この装置本体１は、筒状をしている。この場合、装置本体１は、作業者が手で握り易い太さを有している。
【００１８】
装置本体１には、連結部材２を介して発光部３が設けられている。連結部材２は、筒状をなすもので、一方の端部を装置本体１端部に、例えばねじ込みなどにより固定されている。また、連結部材２の他方の端部には、発光部３の端部が、例えばねじ込みなどにより固定されている。発光部３は、内部に発光体４が設けられている。この場合、発光体４は、複数（図示例では４個）の発光ダイオード４ａ〜４ｄを一列に並べて配置したものが用いられる。なお、図示例の４個の発光ダイオード４ａ〜４ｄは一例であり、実際は、誘導灯として充分な光量を得られるだけの個数が用いられる。
【００１９】
装置本体１には、電池収納部５が設けられている。この電池収納部５には、充電式電池６が収納される。電池収納部５には、不図示の蓋部が設けられ、この蓋部により電池収納部５の開口部を開閉可能にしている。
【００２０】
ここで、充電式電池６には、急速充電が可能なリチウムイオン二次電池が用いられる。リチウムイオン二次電池は、アルミニウムラミネートフィルムからなる外装部材による容器と、この容器内に収容された非水電解質と、前記容器内に収納されアルミニウム箔よりなる正極集電体にリチウムコバルト酸化物を正極作用物質として含む正極層が担持された正極と、前記容器内に収納されアルミニウム箔よりなる負極集電体に平均粒子径が１μｍ以下の粒度分布を有するチタン酸リチウムを負極活物質粒子として含む負極層が担持された負極とを備えた構造を有している。
【００２１】
ここで、リチウムイオン二次電池についてさらに詳細に説明する。かかる、リチウムイオン二次電池は、リチウムチタン酸化物を活物質として含む負極を備えている。活物質であるリチウムチタン酸化物は、特許文献３に開示される通り、リチウムを吸蔵・放出可能な材料であり、リチウムイオンの挿入・離脱が１．４Ｖから１．７Ｖ／Ｌｉ付近で行われる。このため、この二次電池は大電流での急速充電を行っても、従来の負極活物質に炭素材料を用いた場合と比べてリチウムの析出が起こらずに安全性を確保できる。また、リチウムの吸蔵放出に伴う膨張収縮が生じるのを抑制することができるため、２０Ｃ電流の急速充電を繰り返し行った際にも負極活物質の構造破壊を抑えることができる。その結果、充放電を繰り返し行った場合においても長い寿命を維持できる。電池の電位としては２．４Ｖ程度であることから、従来のニッケル水素蓄電池やニッケルカドミウム蓄電池の２本直列分に相当するため、使用本数で５０％の減量化が達成できる。
【００２２】
具体的には、以下のような方法で組み立てたリチウムイオン二次電池は２０Ｃで３分間充電することにより約８０％電池容量まで充電することが可能な急速充電二次電池であることが確認されている。ここで、『Ｃ』は充放電率を表す単位であり、完全放電から完全充電（または完全充電から完全放電）までを定電流充電した場合に計算上１時間で行えるレートを１Ｃとして表現する。１／１０時間の場合、１０Ｃと表現する。したがって、例えば２０Ｃ充電とは、１Ｃ充電の２０倍の電流が必要になる。
【００２３】
＜負極の作製＞
活物質として、平均粒子径５μｍでＬｉ吸蔵電位が１．５５Ｖ(ｖｓ．Ｌｉ／Ｌｉ+)のチタン酸リチウム（Ｌｉ4Ｔｉ5Ｏ12）粉末と、導電剤として平均粒子径０．４μｍの炭素粉末と、結着剤としてポリフッ化ビニリデン（ＰＶｄＦ）とを重量比で９０：７：３となるように配合し、これらをｎ−メチルピロリドン（ＮＭＰ）溶媒に分散してスラリーを調製した。
【００２４】
なお、活物質の粒子径の測定には、レーザー回折式粒度分布測定装置（島津製作所株式会社  型番ＳＡＬＤ−３００）を用いた。まず、ビーカー等に試料約０．１ｇを入れた後、界面活性剤と１〜２ｍＬの蒸留水を添加して十分に攪拌し、攪拌水槽に注入した。２秒間隔で、６４回光強度分布を測定し、粒度分布データを解析し、累積度数分布が５０％の粒径（Ｄ５０）を平均粒子径とした。
【００２５】
次いで、厚さ１０μｍのアルミニウム箔（純度９９．９９％）を負極集電体に前記スラリーを塗布し、乾燥した後、プレスを施すことにより電極密度２．４ｇ／ｃｍ3の負極を作製した。
【００２６】
＜正極の作製＞
活物質としてリチウムコバルト酸化物（ＬｉＣｏＯ2）と、導電材として黒鉛粉末と、結着剤としてポリフッ化ビニリデン（ＰＶｄＦ）とを重量比で８７：８：５となるように配合し、これらをｎ−メチルピロリドン（ＮＭＰ）溶媒に分散させてスラリーを調製した。厚さ１５μｍのアルミニウム箔（純度９９．９９％）にスラリーを塗布し、乾燥した後、プレスすることにより電極密度３．５ｇ／ｃｍ3の正極を作製した。
【００２７】
＜二次電池の組み立て＞
容器（外装部材）の形成材料として、厚さが０．１ｍｍのアルミニウム含有ラミネートフィルムを用意した。このアルミニウム含有ラミネートフィルムのアルミニウム層は、膜厚約０．０３ｍｍであった。アルミニウム層を補強する樹脂には、ポリプロピレンを使用した。このラミネートフィルムを熱融着で貼り合わせることにより、容器（外装部材）を得、さらに金属アルミニウムの容器に収めた。
【００２８】
次いで、前記正極に正極端子を電気的に接続すると共に、前記負極に負極端子を電気的に接続した。厚さ１２μｍのポリエチレン製多孔質フィルムからなるセパレータを正極に密着させて被覆した。セパレータで被覆された正極に負極を対向するように重ね、これらを渦巻状に捲回して電極群を作製した。この電極群をプレスして扁平状に成形した。容器（外装部材）に扁平状に成形した電極群を挿入した。
【００２９】
エチレンカーボネート（ＥＣ）とγ−ブチルラクトン（ＧＢＬ）が体積比（ＥＣ：ＧＢＬ）で１：２の割合で混合された有機溶媒にリチウム塩であるＬｉＢＦ4を１．５ｍｏｌ／Ｌ溶解させ、液状の非水電解質を調製した。得られた非水電解質を前記容器内に注液し、リチウム二次電池を組み立てた。このようなリチウム二次電池は、満充電時電圧２．８Ｖ、放電終止電圧１．５Ｖで使用することができる。
【００３０】
この実施の形態では、前記充電式電池６として、１０Ｃ以上の電流で急速充電可能なリチウムイオン二次電池が使用される。勿論、かかる充電式電池６は、上述した２０Ｃで３分間充電することにより約８０％電池容量まで充電可能なものである。
【００３１】
装置本体１の側面には、スイッチ７が配置されている。このスイッチ７は、例えば複数段にスライド操作可能にしたスライドスイッチが用いられ、最初のスライド操作で充電式電池６の電力を前記発光体４に供給し、これ以降のスライド操作により発光体４の光量（明るさ）を可変できるようになっている。詳細は後述する。勿論、スイッチ７は、充電式電池６の電力を発光体４に供給する電源スイッチと発光体４の明るさ調整のためのスイッチを別々に設けるようにしても良い。また、スイッチ７のスライド操作により発光体４の連続点灯、点滅を切換できるようにしても良い。
【００３２】
連結部材２側面には、電池残量表示部８が配置されている。電池残量表示部８は、充電式電池６の放電状態を表示するもので、電池残量が所定値以上で発光体を点灯し、電池残量が所定値より低下すると点滅する。ここでの発光体としては、例えばＬＥＤが用いられる。この場合、例えば、充電残量が所定値以上のときは青色のＬＥＤ、電池残量が所定値より低下すると赤色のＬＥＤをそれぞれ点灯するようにしても良い。
【００３３】
装置本体１の端部には、連結手段を構成する充電端子部９が設けられている。この充電端子部９は、後述するＡＣアダプタ１２の充電端子部１６に接続可能になっていて、前記充電式電池６の充電を可能にするものである。この場合、充電端子部９は、図２（ａ）に示すように装置本体１端面に、装置本体１の中心軸に沿った穴部９ａが形成され、この穴部９ａ側面の前記装置本体１の中心軸を挟んで相対向する位置に、前記中心軸に沿って電極１０ａ、１０ｂが各別に設けられている。これら電極１０ａ、１０ｂは、例えば正極を構成するもので、充電式電池６の正極端子に電気的に接続されている。また、充電端子部９は、図２（ｂ）に示すように穴部９ａの中心位置に装置本体１の中心軸に沿って電極１０ｃが設けられている。この電極１０ｃは、例えば負極を構成するもので、前記充電式電池６の負極端子に電気的に接続されている。また、充電端子部９の穴部９ａには、栓１１が設けられている。この栓１１は、充電端子部９を使用しないとき、穴部９ａ開口を閉塞するとともに、外部から充電端子部９内部に水が浸入するのを防止するため用いられる。この栓１１は、穴部９ａの開口部に対し嵌め込み式のものや、ねじ込み式のものが用いられる。
【００３４】
このように構成された誘導灯装置には、充電手段として図３（ａ）に示すようなＡＣアダプタ１２が接続可能になっている。ＡＣアダプタ１２は、充電手段として充電部１３とＡＣ／ＤＣコンバータ１４を有している。充電部１３は、ＡＣ／ＤＣコンバータ１４より出力される直流電力により前記充電式電池６を充電する。ＡＣ／ＤＣコンバータ１４は、交流電力を直流電力に変換するもので、ここでは、電源プラグ１５を介して供給される１００Ｖの商用電源から３Ｖ程度の直流電圧を発生する。
【００３５】
ＡＣアダプタ１２には、図３（ｂ）に示すよう前記装置本体１の充電端子部９に対応する充電端子部１６が接続されている。この充電端子部１６は、絶縁材料からなる筒状の端子本体１６ａを有し、この端子本体１６ａの外周面に沿って正側電極１７ａが配置され、また、端子本体１６ａの内周面に沿って筒状の負側電極１７ｂが配置されている。これら正側電極１７ａ及び負側電極１７ｂは、前記充電部１３の不図示の正負出力端子に接続されている。
【００３６】
そして、このような充電端子部１６は、端子本体１６ａを前記充電端子部９の穴部９ａに差し込み、正側電極１７ａを充電端子部９の正極側の電極１０ａ（１０ｂ）間に挿入し、同時に負側電極１７ｂの中空部に充電端子部９の負極側の電極１０ｃを挿入することで、充電部１３を装置本体１の充電式電池６に電気的に接続する。
【００３７】
図４は、このように構成された誘導灯装置の回路構成を示している。なお、図４は、上述した図１〜図３と同一部分には同符号を付している。
【００３８】
装置本体１内部には、前記充電式電池６が設けられている。この充電式電池６は、上述した特性を有するものである。
【００３９】
充電式電池６には、前記充電端子部９の電極１０ａ（１０ｂ）及び電極１０ｃが接続され、また、スイッチ７を介して制御部１８が接続されている。スイッチ７は、上述したようにスライドスイッチからなるもので、最初のスライド操作によりオン動作されるスイッチ部７０１と、これ以降のスライド操作によりオン動作される複数のスイッチ部７０２、７０３を有している。そして、スイッチ部７０１のオン動作により、前記充電式電池６の電力を制御部１８を介して発光体４に供給し、スイッチ部７０２、７０３のオン動作により制御部１８に対し発光体４の光量（明るさ）の可変を指示する。
【００４０】
制御部１８には、発光体４及び電池残量表示部８が接続されている。また、制御部１８は、光量制御手段１８１及び電池残量監視手段１８２を有している。光量制御手段１８１は、前記スイッチ部７０２、７０３のオン動作に応じた光量の可変指令により、発光体４を構成する発光ダイオード４ａ〜４ｄの明るさを制御する。電池残量監視手段１８２は、前記充電式電池６の放電状態を監視し、充電残量が所定値以上で電池残量表示部８の発光体を点灯し、充電残量が所定値より低下すると発光体を点滅させる。
【００４１】
充電式電池６には、監視保護手段として監視保護回路２０が設けられている。この監視保護回路２０は、充電式電池６の状態を監視するもので、かかる監視結果に応じて不図示のスイッチを駆動して充電式電池６の充放電を停止させる。この場合、監視保護回路２０は、充電式電池６の過充電、過放電及び過電流を監視する。そして、充電式電池６の充電電圧が所定値の範囲では、充電式電池６の充放電を許容し、充電式電池６の充電電圧が所定値以上になると過充電と判断し前記スイッチ（不図示）を開放して充電式電池６の充電を停止させ、また、充電式電池６の充電電圧が所定値以下になると過放電と判断し前記スイッチ（不図示）を開放して充電式電池６の放電を停止させる。さらに充電式電池６の放電電流が所定値以上になると、過電流と判断し前記スイッチ（不図示）を開放して充電式電池６の放電を停止させる。これにより、充電式電池６が過充電状態になって電解液の分解によりガスが発生し、電池内部の圧力が上昇して漏液するのを防止し、また、充電式電池６が過放電状態になって負極の集電体の銅が電解液で溶解し電池性能を劣化させるのを防止する。このような監視保護回路２０は、モジュール化され、前記充電式電池６内部に一体に組み込まれるものが用いられる。  
なお、監視保護回路２０は、充電式電池６の過充電、過放電及び過電流の少なくとも一つを監視するものであっても良い。
【００４２】
装置本体１の充電端子部９には、ＡＣアダプタ１２が接続可能になっている。ＡＣアダプタ１２は、上述したように充電部１３とＡＣ／ＤＣコンバータ１４を有している。充電部１３は、ＡＣ／ＤＣコンバータ１４より出力される直流電力により前記充電式電池６を満充電まで充電する。ＡＣ／ＤＣコンバータ１４は、交流電力を直流電力に変換するもので、ここでは、電源プラグ１５を介して供給される１００Ｖの商用電源から３Ｖ程度の直流電圧を発生する。
【００４３】
ＡＣアダプタ１２は、図３（ｂ）に示す前記装置本体１の充電端子部９に対応する充電端子部１６が接続されている。そして、この充電端子部１６を前記充電端子部９の穴部９ａに差し込むことで、充電式電池６に電気的に接続する。
【００４４】
次に、このように構成した実施の形態の作用を説明する。
【００４５】
この場合、装置本体１の充電端子部９の穴部９ａにＡＣアダプタ１２の充電端子部１６を差し込み、充電部１３により充電式電池６を満充電まで充電する。ユーザは、電池残量表示部８の発光体が連続点灯していることで充電式電池６が満充電になっていることを確認する。充電式電池６の満充電を確認したらＡＣアダプタ１２の充電端子部１６を装置本体１の充電端子部９から切り離す。
【００４６】
この状態で、工事現場などで作業者に携帯され、自動車や人間などの通行を安全に誘導するための誘導灯として使用される。
【００４７】
この場合、スイッチ７をスライド操作してスイッチ部７０１をオンにすると、充電式電池６の電力が制御部１８を介して発光体４に供給され、該発光体４を構成する発光ダイオード４ａ〜４ｄが点灯される。また、スイッチ７をさらにスライド操作してスイッチ部７０２、７０３をオンさせると、これらスイッチ部７０２、７０３のオン動作に応じた光量の可変指令により、光量制御手段１８１は、発光ダイオード４ａ〜４ｄの明るさを制御する。
【００４８】
電池残量監視手段１８２は、充電式電池６の電池残量を監視する。そして、電池残量が所定値より低下すると、電池残量表示部８の発光体を点滅させる。ユーザは、電池残量表示部８の点滅表示を確認すると、装置本体１の充電端子部９の穴部９ａにＡＣアダプタ１２の充電端子部１６を差し込んで充電式電池６を満充電まで充電し、次の使用に備える。
【００４９】
従って、このようにすれば、発光体４を点灯するための電源として充電式電池６を使用し、また、装置本体１に充電部１３を有するＡＣアダプタ１２を接続可能とし、充電部１３により充電式電池６を満充電まで充電し、次の使用を可能にした。また、組み込まれる充電式電池６として１０Ｃ以上の電流で急速充電できるリチウムイオン二次電池が用いられことも特徴としている。これにより、充電式電池６は短時間の急速充電が可能で、しかも装置本体１にＡＣアダプタ１２を接続するだけで充電式電池６を繰り返し充電ができるので、最低１個の誘導灯装置でも、長時間中断することなく安定して使用することができる。このことは、誘導灯装置を必要以上の個数用意する必要がないので、コスト的にも安価にできる。
【００５０】
充電式電池６の充電を頻繁に行うことができるので、電池容量の小さな充電式電池６を使用することが可能で、誘導灯装置全体の小型軽量化とともにコスト低減につなげることができる。このことは、急速充電が可能な充電式電池６を使用することによって実現できることである。
【００５１】
装置本体１には、充電式電池６の放電状態を表示する電池残量表示部８が設けられ、誘導灯装置を使用しながら充電式電池６の放電状態を一目で確認することができるので、充電式電池６の電池残量がゼロになって使用不能になるようなことを未然に回避できる。また、例えば充電式電池６の充電状態に関係なく電池残量表示部８の発光体が点滅し続けるなど、電池残量表示部８の異常表示からＡＣアダプタ１２の故障などの充電異常を確認することもできる。
【００５２】
スイッチ７のスライド操作により発光体４を構成する発光ダイオード４ａ〜４ｄの明るさを可変することができるので、誘導灯を使用する周囲の明るさに応じて最適な光量を得ることができる。このことは、特に、霧などにより周囲の視界が充分でないような環境でも、充分な明るさを確保することができ、自動車や人間などの通行を安全に誘導することができる。
【００５３】
本発明は、上記実施の形態に限定されるものでなく、実施段階では、その要旨を変更しない範囲で種々変形することが可能である。例えば、ＡＣアダプタ１２は、電源コードを介して自動車のシガレットプラグに接続可能にしたものでもよい。このようにすれば、工事現場に置かれた自動車から簡単に充電式電池６を満充電まで充電することができる。
【００５４】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００５５】
【図１】本発明の一実施の形態にかかる誘導灯装置の概略構成を示す図。
【図２】一実施の形態の誘導灯装置に用いられる充電端子部の概略構成を示す図。
【図３】一実施の形態の誘導灯装置に用いられるＡＣアダプタ及び該ＡＣアダプタの充電端子部の概略構成を示す図。
【図４】一実施の形態にかかる誘導灯装置の回路構成を示す図。
【符号の説明】
【００５６】
１…装置本体、２…連結部材、３…発光部
４…発光体、４ａ〜４ｄ…発光ダイオード
５…電池収納部、６…充電式電池
７…スイッチ、７０１…スイッチ部
７０２．７０３…スイッチ部
８…電池残量表示部、９…充電端子部
９ａ…穴部、１０ａ．１０ｂ、１０ｃ…電極
１１…栓、１２…ＡＣアダプタ
１２ａ…穴部、１３…充電部、１４…ＡＣ／ＤＣコンバータ
１５…電源プラグ、１６…充電端子部、１６ａ…端子本体
１７ａ…正側電極、１７ｂ…負側電極
１８…制御部、１８１…光量制御手段
１８２…電池残量監視手段、２０…監視保護回路
【図１】
2008041405.tif 000003
【図２】
2008041405.tif 000004
【図３】
2008041405.tif 000005
【図４】
2008041405.tif 000006